(57)【特許請求の範囲】
【請求項１】
座席の背もたれ上縁に取り付けられているヘッドレストと該背もたれ上縁との間に挟持される基台と、該基台の一端または両端に取り付けられ着座者の頭部を支持するサイドサポートとからなり、該サイドサポートは該基台に少なくとも斜め上方に立ち上げた収納状態と、前方に倒して差し出した使用状態との間で回動可能に取り付けられ、該基台の端面には該サイドサポートを斜め上方に立ち上げた収納状態と前方に倒して差し出した使用状態とで係止する係止突部が設けられており、該サイドサポートの取り付け部は該基台の端面側に弾性的に押し付けられており、該基台の前縁および／または後縁には該ヘッドレストのステーを嵌合するための凹陥切欠き部が設けられ、更に該凹陥切欠き部の周壁には該凹陥切欠き部に嵌合される該ヘッドレストのステーを解除可能に係止するための係止手段が設けられていることを特徴とするサイドサポート部材。
【請求項２】
該基台の凹陥切欠き部の係止手段は、該凹陥切欠き部の周壁から差し出され、該周壁と所定の間隔を介して沿うように設定され、先端に係止突部を形成した板バネ体である請求項１に記載のサイドサポート部材。
【請求項３】
該サイドサポートは更に前下方に回動可能にされている請求項１または２に記載のサイドサポート部材。
【発明の詳細な説明】
【０００１】
【発明の属する技術分野】
本発明は例えば自動車等の車両に設置される座席に取り付けられるサイドサポート部材に関するものである。
【０００２】
【発明の背景】
例えば自動車等の車両の座席(6) の着座者は、車両が左右に曲がる時に頭部が慣性で左右に振れる。また着座者が睡眠中も頭部が不安定になって左右に振れ易くなる。
【０００３】
【従来の技術】
そこで従来座席(6) に着座者の頭部を左右に振れないように支持するために該座席(6) に取り付けるサイドサポート部材(9) が提供されている。
例えば特許第2952586 号にあっては、座席(6) の背もたれ(61)上縁と該背もたれ(61)に取り付けられるヘッドレスト(5) との間に挟装される装着部(91)と、該装着部(91)に取り付けられ着座者の頭部を受けさせる頭受け部(92)とからなる補助枕装置(9) が提供されている。
【０００４】
【特許文献１】
特許第２９５２５８６号公報（例えば図１参照）
【０００５】
【発明が解決しようとする課題】
上記補助枕装置(9) にあっては、装着部(91)にヘッドレスト(5) のステー(51)が挿通される係止孔(91a) が設けられ、該補助枕装置(9) を座席(6) に取り付けるには、まず座席(6) の背もたれ(61)からヘッドレスト(5) を取りはずし、該ヘッドレスト(5) を該背もたれ(61)上縁に取り付けることが必要であり、補助枕装置(9) を取り付け取りはずすつどヘッドレスト(5) を該背もたれ(61)から取りはずさなければならず、補助枕装置(9) の取り付け取りはずしに手間がかかるという問題点がある。
【０００６】
【課題を解決するための手段】
本発明は上記従来の課題を解決するための手段として、座席(6) の背もたれ(61)上縁に取り付けられているヘッドレスト(5) と該背もたれ(61)上縁との間に挟持される基台(2) と、該基台(2) の一端または両端に取り付けられ着座者の頭部を支持するサイドサポート(3) とからなり、該サイドサポート(3) は該基台(2) に少なくとも斜め上方に立ち上げた収納状態と、前方に倒して差し出した使用状態との間で回動可能に取り付けられ、該基台(2) の一端または両端に取り付けられており、該基台(2) の端面には少なくとも該サイドサポート(3) を斜め上方に立ち上げた収納状態と前方に倒して差し出した使用状態とで係止する係止突部(2h,2i) が設けられており、該サイドサポート(3) の取付け部(32)は該基台(2) の端面側に弾性的に押し付けられており、該基台(2) の前縁および／または後縁には該ヘッドレスト(5) のステー(51)を嵌合するための凹陥切欠き部(2b)が設けられ、更に該凹陥切欠き部(2b)の周壁には該凹陥切欠き部(2b)に嵌合される該ヘッドレスト(5) のステー(51)を解除可能に係止するための係止手段(2j)が設けられているサイドサポート部材(1) を提供するものである。
【０００７】
該基台(2) の凹陥切欠き部(2b)の係止手段(2j)は、該凹陥切欠き部(2b)の周壁から差し出され、該周壁と所定の間隔を介して沿うように設定され、先端に係止突部(2k)を形成した板バネ体(2j)であることが望ましい。
【０００８】
また該サイドサポート(3) は更に前下方に回動可能にされていることが望ましい。
【０００９】
（削除）
【００１０】
【作用】
〔請求項１〕
本発明のサイドサポート部材(1) を座席(6) に取り付けるには、該座席(6) の背もたれ(61)上縁に取り付けられているヘッドレスト(5) と該背もたれ(61)上縁との間に前側および／または後側から該サイドサポート部材(1) の基台(2) を押し入れ、該基台(2) の凹陥切欠き部(2b)に該ヘッドレスト(5) のステー(51)を嵌合し、該ステー(51)が該基台(2) の凹陥切り欠き部(2b)からはずれないように係止する。該サイドサポート(3) を使用していない場合には、該サイドサポート(3) をほぼ垂直に立ち上げる。該サイドサポート(3) を使用する時には該サイドサポート(3) を前側に倒して差し出した状態とする。
【００１１】
〔請求項２〕
該基台(2) の凹陥切欠き部(2b)に該ヘッドレスト(5) のステー(51)を嵌合する際、該板バネ体(2j)は係止突部(2k)を介して該ステー(51)に押しのけられて該凹陥切欠き部(2b)の周壁側へ撓み、該ステー(51)が完全に該凹陥切欠き部(2b)に嵌合した時、該板バネ体(2j)が弾性的に復元して該板バネ体(2j)の係止突部(2k)が該ステー(51)を係止する。
【００１２】
〔請求項３〕
該サイドサポート(3) の取付け部(32)は該基台(2) の端面側に弾性的に押し付けられ、該サイドサポート(3) をほぼ垂直に立ち上げ状態と前方に倒して差し出した状態とにおいては、該サイドサポート(3) の取付け部(32)の一縁または両縁が該基台(2) 端面の係止突部(2h,2i) の突出縁(2l,2m) に係止される。該サイドサポート(3) は更に前下方に回動させれば、子供の頭の高さに該サイドサポート(3) を配置することが出来る。
【００１３】
（削除）
【００１４】
【発明の実施の形態】
本発明を一実施例により説明すれば、図１に示すサイドサポート部材(1) は基台(2) と、該基台(2) の両端に回動可能に取り付けられているサイドサポート(3) とからなる。
図２に示すように該基台(2) は略長方形状であって上側台部(2A)と下側台部(2B)との組み合わせからなり、該上側台部(2A)と下側台部(2B)とは面板(21A,21B) と該面板(21A,21B) の周縁に起立しているフランジ(22A,22B) とからなり、かくして該基台(2) は中空構造を有している。
【００１５】
図３に示すように該基台(2) の上下台部(2A,2B) の前面中央は着座者の後頭部が当たらないようそれぞれ浅い円弧状に凹部(2a,2a) が形成されており、後面には左右一対の平面三角形状の凹陥切欠き部(2b,2b) が設けられ、上下の凹部(2a,2a) と凹陥切欠き部(2b,2b) とは相互適応形状をしており、各凹陥切欠き部(2b,2b) の三角形状頂上部に相当する奥端部にはヘッドレスト(5) のステー(51)を適嵌する形状のステー嵌合部(2c)が形成されている。また下側台部(2B)の該左右一対の凹陥切欠き部(2b,2b) の周壁の外側端の一方からは、平面略Ｕ字状の板バネ体(2j)が該凹陥切欠き部(2b,2b) の周壁と所定の間隔を介して沿うように差し出され、該板バネ体(2j)の先端には内側に向けて平面三角形状の係止突部(2k)が形成されている。
【００１６】
図４に示すように該基台(2) の上側台部(2A)の側端面は凹陥され下縁からガイド面(2d)が形成されている。該ガイド面(2d)は前端部は水平にされて該上側台部(2A)の下面部に位置し、後方に行くにつれて該上側台部(2A)の上面部に向かって弯曲し、垂直方向に対し４５°傾斜した斜面となっている。そして該ガイド面(2d)の奥端面(2n)には中央部にサイドサポート(3) を取り付けるためのボス(2g)が突設され、該ボス(2g)の中心にはネジ装着孔(2f)が設けられている。
【００１７】
更に図５に示すように該奥端面(2n)の前端部には垂直突出縁(2m)を有する第１突出係止部(2i)が形成され、該奥端面(2n)の後より上部には三角形状の第２突出係止部(2h)が形成され、該第２突出係止部(2h)は垂直突出縁(2l)と４５°傾斜突出縁(2p)とを有する。
【００１８】
図６に示すように該サイドサポート(3) は本体(31)および該本体(31)の基端部に取り付けられている杆状取付け部(32)とからなり、該本体(31)はループ状周枠部(31a) および該周枠部(31a) の内側に張設されているクッション性のサポート部(31b) とからなる。図７に示すように該杆状取付け部(32)の内側面の前後には突出縁(32a,32e) が形成され、該突出縁(32a,32e) の巾W4は、基台(2) 側端面のガイド面(2d)と第１突出係止部(2h)との間隔W2と同一に設定されており、該杆状取付け部(32)の巾W3は第１突出係止部(2h)と第２突出係止部(2i)との間隔W １と同一に設定されている。また該杆状取付け部(32)の下端部は該本体(31)より下方に突出しており、該下端部の中央には枢着孔部(32b) が設けられ、該枢着孔部(32b) の内周には突環部(32c) が周設されている。
【００１９】
該サイドサポート(3) の基台(2) への取付け構造を説明すれば、図３および図８に示すように基台(2) 側端面のボス(2g)にサイドサポート(3) の枢着孔部(32b) の突環部(32c) より内側部分が嵌合し、該枢着孔部(32b) の内周の突環部(32c) が該ボス(2g)の前端面に当接している。そして該枢着孔部(32b) の突環部(32c) より外側部分には該突環部(32c) を基台(2) の端面側に付勢する例えばゴム等の弾性体からなるＯリング(33)が嵌挿され、ワッシャー(34)を介してタッピングネジ(35)が挿入され、該タッピングネジ(35)を該ボス(2g)のネジ挿入孔(2g)にねじ込む（タッピングする）ことによって固定され、該枢着孔部(32b) のタッピングネジ(35)の外側にはキャップ(36)が嵌着されている。
【００２０】
該サイドサポート部材(1) を座席(6) に取り付けるには、該サイドサポート部材(1) を手で持って座席(6) 前側より座席(6) の背もたれ(61)上縁に取り付けられているヘッドレスト(5) と該背もたれ(61)上縁との間に支持して、該サイドサポート部材(1) の基台(2) の後縁に設けられている凹陥切欠き部(2b)をヘッドレスト(5) を支持しているステー(51)に当接して、該基台(2) を後方に押し込む。このとき図９に示すように該板バネ体(2j)は係止突部(2k)を介して該ステー(51)に押しのけられて該凹陥切欠き部(2b)の周壁側へ撓み、該ステー(51)が完全に該凹陥切欠き部(2b)に嵌合した時、図１０に示すように該板バネ体(2j)が弾性的に復元して該板バネ体(2j)の係止突部(2k)が該ステー(51)を凹陥切欠き部(2b)のステー嵌合部(2c)からはずれないように係止する。
このようにして該サイドサポート部材(1) の基台(2) は背もたれ(61)上縁とヘッドレスト(5) の間に挟持される。
【００２１】
該サイドサポート部材(1) を座席(6) から取りはずには、該サイドサポート部材(1) を手で持って前方に引っ張れば、前述のように該ステー(51)が係止突部(2k)を介して板バネ体(2j)を押しのけて、該ステー(51)は該凹陥切欠き部(2b)奥端の該ステー嵌合部(2c)から引き抜かれる。
【００２２】
このように該サイドサポート部材(1) は簡単に座席(6) とヘッドレスト(5) の間に取付け、取りはずしができ、取付け後は該係止突部(2k)により該ステー(51)に安定に固定される。
【００２３】
該サイドサポート部材(1) は使用状態では、図１１に示すように該サイドサポート(3) の杆状取付け部(32)は枢着孔部(32b) 内の突環部(32c) を介してＯリング(33)により該基台(2) の端面側に弾性的に押し付けられ、該杆状取付け部(32)の下端部の両縁が該基台(2) 側部の奥端面(2n)に設けられている突出係止部(2h,2i) の突出縁(2m,2l) に係止されている。このとき該杆状取付け部(32)に取り付けられているサイドサポート(3) は図１４の実線に示すように前方に倒して差し出した状態に保たれる。したがって、該サイドサポート本体(31)のクッション性のサポート部(31b) がちょうどヘッドレスト(5) の前方に位置し着座者の頭部を受け止める。
【００２４】
該サイドサポート(3) を使用せず収納する時は、該サイドサポート(3) の杆状取付け部(32)を手で持って後方に回動させる。このとき枢着孔部(32b) 内のＯリング(33)は弾性変形し、杆状取付け部(32)の突出縁(32e) がＯリング(33)の弾性に抗して第２突出係止部(2h)の突出縁(2l)を乗り越える。該杆状取付け部(32)の後面が、基台(2) 側端部のガイド面(2d)に当接すると該Ｏリング(33)が復元して、該杆状取付け部(32)を突環部(32c) を介して基台(2) 端面側に押し付け、該杆状取付け部(32)の突出縁(32e) が該ガイド面(2d)と第２突出係止部(2h)との間に嵌合して該杆状取付け部(32)は再び係止される。
このとき該杆状取付け部(32)は図１４に示すように４５°斜め後方に傾いた状態に支持され、該杆状取付け部(32)に取り付けられている該サイドサポート(3) は図１２の点線に示すようにほぼ垂直に立ち上げた状態となり、着座者の邪魔にならない。
【００２５】
また子供など身長が低く頭部が低い位置にくる着座者の場合は、該サイドサポート(3) の杆状取付け部(32)を手で持って前方に回動させる。このとき前述のようにＯリング(33)は弾性変形するので杆状取付け部(32)の突出縁(32a,32e) は第１突出係止部(2i)の突出縁(2m)を乗り越える。そしてその状態のまま図１３に示すように該サイドサポート(3) の前端を座席(6) の背もたれ(61)に当接させた状態にする。このようにすると図１４の一点鎖線に示すように該サイドサポート(3) はヘッドレスト(5) より低い位置に保たれ、子供など頭部が低い位置に来る着座者にも対応できる。
【００２６】
本実施例のサイドサポート部材(1) では基台(2) の後縁に該ヘッドレスト(5) のステー(51)を嵌合するための凹陥切欠き部(2b)が設けられているが、該凹陥切欠き部(2b)は該基台(2) の前縁に設けられてもよい。この場合はサイドサポート部材(1) を座席(6) に取り付けるには、該座席(6) の背もたれ(61)上縁に取り付けられているヘッドレスト(5) と該座席(6) 上縁との間に後側から該サイドサポート部材(1) の基台(2) を押し入れ、該基台(2) の凹陥切欠き部(2b)に該ヘッドレスト(5) のステー(51)を嵌合し、該ステー(51)が該基台(2) の凹陥切り欠き部(2b)からはずれないように係止する。
【００２７】
また該基台(2) の凹部(2a)は必ずしも必要ではない。
また該サイドサポート(3) は該基台(2) の一端に取り付けられていてもよく、該基台(2) の側端面には該サイドサポート(3) を立ち上げた状態から前方に倒して差し出した使用状態とに多段階に係止する係止突部が設けられていてもよい。
【００２８】
【発明の効果】
本発明のサイドサポート部材によれば、該サイドサポート部材を座席からヘッドレストを取りはずすことなく簡単に取り付けられ手間がかからない。
【図面の簡単な説明】
図１および図１４は本発明の一実施例を示すものである。
【図１】  斜視図
【図２】  基台の分解斜視図
【図３】  基台の平面図
【図４】  サイドサポートの取付け構造分解斜視図
【図５】  基台の側面図
【図６】  サイドサポートの側面図
【図７】  図５におけるＡ−Ａ断面図
【図８】  サイドサポート取付け構造横断面図
【図９】  ステー嵌合または解除方法説明平面図
【図１０】  ステー嵌合係止状態説明平面図
【図１１】  サイドサポート使用状態一部省略側面図
【図１２】  サイドサポート収納状態一部省略側面図
【図１３】  サイドサポートの他の使用状態一部省略側面図
【図１４】  サイドサポート使用および収納状態説明側面図
【図１５】  従来例のサイドサポートの取付け状態説明斜視図
【符号の説明】
1             サイドサポート部材
2             基台
2b            凹陥切欠き部
2j            板バネ体（係止手段）
2h,2i,2k      係止突部
3             サイドサポート
32            杆状取付け部（取付け部）
5             ヘッドレスト
6             座席
51            ステー
【図１】
0004076846.tif 000002
【図２】
0004076846.tif 000003
【図３】
0004076846.tif 000004
【図４】
0004076846.tif 000005
【図５】
0004076846.tif 000006
【図６】
0004076846.tif 000007
【図７】
0004076846.tif 000008
【図８】
0004076846.tif 000009
【図９】
0004076846.tif 000010
【図１０】
0004076846.tif 000011
【図１１】
0004076846.tif 000012
【図１２】
0004076846.tif 000013
【図１３】
0004076846.tif 000014
【図１４】
0004076846.tif 000015
【図１５】
0004076846.tif 000016